(57)【要約】【課題】複数の四角環形蛍光ランプに対するランプホルダの配置が合理的で、複数の蛍光ランプを適正位置に支持でき、ソケットと口金との着脱が容易な照明器具の提供。【解決手段】リード線15,16に接続されたソケット17,18を有した平面視四角形状の器具本体11を備える。口金22が取付けられた四角環形の内側蛍光ランプ21と、口金32が取付けられた四角環形の外側蛍光ランプ31とを、器具本体11を囲むように配置する。本体11の四辺に夫々に固定されたランプホルダ41〜44の支持部46aでランプ31の直管部31a〜31dを夫々支持し、ホルダ41〜44が有した中間支持部46bでランプ21の直管部21a〜21dを夫々支持する。口金22が取付けられた直管部21aを支持するホルダ41を、口金22及びこれに隣接したランプ21の角部21eを避けてこれらの間に配置する。口金32が取付けられた直管部31aを支持するホルダ42を、口金32及びこれに隣接したランプ31の角部31eを避けてこれらの間に配置する。【選択図】      図５
2008098117.tif 000002
【特許請求の範囲】
【請求項１】
点灯装置を有するとともに、この点灯装置にリード線を介して接続された一対のソケットを有する平面視四角形状の器具本体と；
第１ないし第４の直管部、これら直管部と一体的に形成されて隣接した直管部にわたる第１ないし第４の角部、及び前記各直管部の内の一つの直管部の中央部に取付けられて一方の前記ソケットが接続された第１口金を有して四角環形に形成され、前記器具本体を囲むように配置された内側蛍光ランプと；
第１ないし第４の直管部、これら直管部と一体的に形成されて隣接した直管部にわたる第１ないし第４の角部、及び前記各直管部の内の一つの直管部の中央部に取付けられて他方の前記ソケットが接続された第２口金を有して前記内側蛍光ランプより大きい四角環形に形成され、前記内側蛍光ランプを囲むように配置された少なくとも一個の外側蛍光ランプと；
一端部が前記器具本体の四辺のいずれかに夫々固定されるとともに、前記外側蛍光ランプの直管部を支持する支持部を有し、かつ、この支持部と前記一端部との間に形成された中間支持部で前記内側蛍光ランプの直管部を支持した第１から第４のランプホルダと；
を具備し、
前記第１から第４のランプホルダの内で各蛍光ランプの前記口金が取付けられた前記各蛍光ランプの直管部を支持するランプホルダの前記支持部を、前記各口金とこの口金に隣接した前記各蛍光ランプの角部との間に配置したことを特徴とする照明器具。
【発明の詳細な説明】
【技術分野】
【０００１】
本発明は、光源として環形に形成された内外一対の蛍光ランプを用いる照明器具に関する。
【背景技術】
【０００２】
従来、例えば内外一対の円環形をなす蛍光ランプを備えて形成された吊り下げ型照明器具が提供されている。この照明器具は、１８０°離れて互いに逆向きに突出するように器具本体に取付けられたランプホルダ部とランプ支持ばねとで、内外一対の円環形蛍光ランプを支持している。具体的には、内外一対の円環形蛍光ランプの口金は照明器具の周方向に関して同じ位置に配置されていて、器具本体の組立てに伴って形成されたランプホルダ部で、内外両円環形蛍光ランプの口金を夫々支持するとともに、ランプ支持ばねが有した一対の支持部で内外両円環形蛍光ランプの口金から１８０°離れた部分を夫々支持している。そして、ランプホルダ部の内部に位置決めして取付けられた一対のソケットが、対応する円環形蛍光ランプの口金に夫々差し込み接続されている（例えば、特許文献１参照。）。
【特許文献１】特開２００３−７１２０号公報(段落0006−0016、図１−図４)
【発明の開示】
【発明が解決しようとする課題】
【０００３】
住宅などの部屋は基本的に四角状であるので、この部屋との調和を図る上で部屋に配置される照明器具も四角形状である方が好ましく、その場合、光源として四角環形をなす内外一対の蛍光ランプを円環形の蛍光ランプに代えて使用できる。
【０００４】
四角環形をなす蛍光ランプは、一本のバルブを四角環形に曲げるとともに、互いに向かい合ったバルブの両端部に渡って口金を取付けて形成されている。言い換えれば、第１ないし第４の直管部と、これら直管部と一体に形成され隣接した直管部にわたる円弧状の第１ないし第４の角部、及び各直管部の内の一つの直管部の中央部に取付けられた口金を有して、四角環形の蛍光ランプが形成されている。
【０００５】
ところで、特許文献１に記載のランプホルダ部及びランプ支持ばねは、蛍光ランプのバルブをその中心線(管軸)と直交する方向から挟んで蛍光ランプを支持している。このため、特許文献１の技術を適用して四角環形の蛍光ランプを支持すると、この蛍光ランプの互いに平行な二つの直管部のみが支持されて、これら二つの直管部が延びる方向に蛍光ランプが移動しないように支持する信頼性が低く、照明器具に加わる外力で内外一対の四角環形の蛍光ランプが個々に移動し易くなる。
【０００６】
それに伴い、内外一対の四角環形の蛍光ランプ相互の配置が適正位置からずれることがあるので、この状態の内外一対の四角環形の蛍光ランプの配置がランプ交換の際等において視認される場合には、違和感を与えることが考えられる。しかも、前記移動に伴いランプホルダ部に動かないように位置決めされたソケットと口金との接続部に負荷が掛かるので、この負荷状態下でランプ交換をする場合には、ソケットから口金を外し難くなることが考えられる。
【０００７】
本発明の目的は、複数の四角環形蛍光ランプに対するランプホルダの配置が合理的で、複数の蛍光ランプを適正位置からずれ動かないように支持できるとともに、ソケットと口金との着脱が容易な照明器具を提供することにある。
【課題を解決するための手段】
【０００８】
請求項１の発明は、点灯装置を有するとともに、この点灯装置にリード線を介して接続された一対のソケットを有する平面視四角形状の器具本体と；第１ないし第４の直管部、これら直管部と一体的に形成されて隣接した直管部にわたる第１ないし第４の角部、及び前記各直管部の内の一つの直管部の中央部に取付けられて一方の前記ソケットが接続された第１口金を有して四角環形に形成され、前記器具本体を囲むように配置された内側蛍光ランプと；第１ないし第４の直管部、これら直管部と一体的に形成されて隣接した直管部にわたる第１ないし第４の角部、及び前記各直管部の内の一つの直管部の中央部に取付けられて他方の前記ソケットが接続された第２口金を有して前記内側蛍光ランプより大きい四角環形に形成され、前記内側蛍光ランプを囲むように配置された少なくとも一個の外側蛍光ランプと；一端部が前記器具本体の四辺のいずれかに夫々固定されるとともに、前記外側蛍光ランプの直管部を支持する支持部を有し、かつ、この支持部と前記一端部との間に形成された中間支持部で前記内側蛍光ランプの直管部を支持した第１から第４のランプホルダと；を具備し、前記第１から第４のランプホルダの内で各蛍光ランプの前記口金が取付けられた前記各蛍光ランプの直管部を支持するランプホルダの前記支持部を、前記各口金とこの口金に隣接した前記各蛍光ランプの角部との間に配置したことを特徴とする。
【０００９】
請求項１の発明では、４個のランプホルダの夫々で四角環形をなす各蛍光ランプの各直管部を支持している。これにより、互いに平行な直管部が延びる方向に各蛍光ランプが移動することは、前記直管部に隣接した直管部を支持している二個のランプホルダによって防止される。したがって、４個のランプホルダによって各蛍光ランプを適正位置から不用意にずれ動かないように支持できる。更に、リード線にソケットを支持しているので、口金が取付けられた直管部を片手で掴んで、他方の手でソケットを着脱できることに加えて、口金に掛からずにこの口金からずれて配置されているランプホルダが、前記着脱操作の際に邪魔になり難い。したがって、ソケットと口金との着脱が容易である。更に、ランプホルダの支持部は蛍光ランプの口金とこれに隣接した角部との間、言い換えれば、これらからずれた位置で直管部を支持しているので、ランプホルダに蛍光ランプを支持させる際に弾性変形可能なランプホルダが元の状態に戻ることに伴う衝撃力が、蛍光ランプの角部に与えられることがない。したがって、この点でも四角環形の各蛍光ランプに対するランプホルダの配置が合理的である。
【発明の効果】
【００１０】
請求項１の発明によれば、四角環形の各蛍光ランプを器具本体に支持するランプホルダがソケットと口金との着脱操作の邪魔になり難く、この着脱に伴い蛍光ランプの角部に衝撃を与えないので、各蛍光ランプに対するランプホルダの配置が合理的であり、第１ないし第４のランプホルダで四角環形の各蛍光ランプの移動を抑制してこれら蛍光ランプを適正位置から不用意にずれ動かないように支持することができ、更に、ソケットを掴んでこれを口金に着脱できるとともにその際に前記のようにランプホルダが邪魔になり難いので、ソケットと口金との着脱が容易な照明器具を提供できる。
【発明を実施するための最良の形態】
【００１１】
図１〜図６を参照して本発明の一実施形態を説明する。
【００１２】
図１中符号１は器具取付け部例えば天井２に吊り下げ設置される照明器具を示している。この照明器具１は、平面視四角形状の灯具３と、この灯具３を天井に吊り下げ設置する吊り手段４とを備えている。
【００１３】
吊り手段４は、灯具３から天井２に向けて引き出された電源コード５の上端に取付けられた引掛けシーリングキャップ（図示しない）、コードストッパ（図示しない）、シーリングカバー６、コードカバー７、及び複数本の吊り部材８により形成されている。
【００１４】
引掛けシーリングキャップは天井２に固定された引掛けシーリングボディ（図示しない）にその下方から取外し可能に引掛け接続される。コードストッパは、引掛けシーリングキャップの間近に位置して電源コード５の上端部に固定されている。このコードストッパを、シーリングカバー６の底壁に貫通させてこの底壁に下方から引っ掛けることによって、シーリングカバー６が引掛けシーリングを覆い隠して支持されている。電源コード５が貫通されたコードカバー７は、コードストッパを覆い隠してシーリングカバー６の底壁下面に取外し可能に取付けられている。このコードカバー７の内側には電源コード５の余剰部分を収容可能である。吊り部材８は少なくとも２本設ければよく、図１は吊り部材８として４本の吊りワイヤを用いた例を示している。各吊り部材８はその上端をコードカバー７の底壁に連結するとともに、下端を灯具３の器具本体に連結して設けられている。
【００１５】
この吊り手段４は、引掛けシーリンクに接続された電源コード５にコードストッパを介してコードカバー７を支持するとともに、このコードカバー７に吊り部材８を介して灯具３を吊り下げる。したがって、引掛けシーリングに灯具３が吊り下げられる。
【００１６】
電源コード５は、コードカバー７内に出し入れ可能であり、灯具３側にも出し入れ可能であるため、その出し入れにより灯具３の設置高さに電源コード５の長さを調整できる。これとともに、吊り部材８の下部は灯具３内に押し込み可能であるので、灯具３の設置高さに合わせて吊り部材８の長さを調整できる。又、コードカバー７は、コードストッパに対して周方向に回転させることが可能であるので、この回転により灯具３の四つの角を部屋の四隅に適合させる調整が可能である。
【００１７】
図２に示すように灯具３は、器具本体１１と、前記電源コード５と、内側蛍光ランプ２１と、外側蛍光ランプ３１と、４個のランプホルダ４１〜４４と、制光体例えばセード５１とを備えている。
【００１８】
器具本体１１は、本体外郭１２に、インバータ式の点灯装置１３を内蔵するとともに、図５に示した無線受信器１４を取付けて形成されている。
【００１９】
本体外郭１２は、フランジを有した上下の外郭部材を最中合わせのように上下方向に合わせて、それらのフランジ同士を連結してなる。これにより、本体外郭１２の厚み方向の略中央部にフランジ部１２ａが側方に張りして形成されている。このフランジ部１２ａは本体外郭１２の周方向に切れ目なく連続して器具本体１１の四辺をなしている。本体外郭１２の外面には図示しないが光を反射する白色塗料が塗られている。
【００２０】
本体外郭１２の下方突出部は、フランジ部１２ａの内側に位置しているとともに、図５に示すように第１の下方突出部１２ｂと、この一側に連続した第２の下方突出部１２ｃとで形成されている。第１の下方突出部１２ｂは第２の下方突出部１２ｃより大きく、第２の下方突出部１２ｃには更に下方へ突出して受信器配置凸部１２ｄが設けられている。第１の下方突出部１２ｂの裏側に点灯装置１３が配置され、第２の下方突出部１２ｃの裏側に無線受信器１４が配置されている。無線受信器１４が受信した無線信号によって点灯装置１３は制御される。
【００２１】
このように器具本体１１の厚み方向（上下方向）に直交する方向に点灯装置１３と無線受信器１４とを並べて配置したことによって、器具本体１１は平面視長四角形状をなしている。これとともに、点灯装置１３と無線受信器１４とが厚み方向に並ばない分、器具本体１１の上下方向の厚みを薄く形成できる。更に、第２の下方突出部１２ｃの突出高さは、第１の下方突出部１２ｂの突出高さより低く、したがって、第１の下方突出部１２ｂと第２の下方突出部１２ｃとは相互間に段差１２ｅを形成して連続されている。このことにおいても、第２の下方突出部１２ｃに受信器配置凸部１２ｄを設けているにも拘わらず器具本体１１の厚みを薄くする上で好ましい。
【００２２】
こうした器具本体１１の薄型化は、使用者の頭上に配置して使用される灯具３の薄型化に貢献し使用者に圧迫感を与え難い点で好ましい。その上、後述する下側セード部材５２の内面に受信器配置凸部１２ｄが接近して、この受信器配置凸部１２ｄのイメージが下側セード部材５３に映り難くできる点でも好ましい。更に、第１の下方突出部１２ｂに点灯装置１３を熱的に接続して設けることにより、点灯装置１３が発する熱を第１の下方突出部１２ｂに伝導させて、この第１の下方突出部１２ｂ等を放熱面として器具本体１１の外部に円滑に放出させることができる。
【００２３】
図５に示すように器具本体１１の外部に一対のリード線１５，１６が例えば受信器配置凸部１２ｄの両側から互いに遠ざかるように引出されている。これらリード線１５，１６の引出し端にはソケット１７，１８が接続されている。器具本体１１内に導入されたリード線１５，１６の端部はいずれも点灯装置１３に接続されている。
【００２４】
器具本体１１の上面中央部にはコードストッパ（図示しない）が設けられ、このストッパには電源コード５が貫通されている。器具本体１１内に導入された電源コード５の端部は点灯装置１３に接続され、器具本体１１外に引出された電源コード５の上端には既述のように前記引掛けシーリングキャップ（図示しない）が取付けられている。
【００２５】
図５等に示すように内側蛍光ランプ２１は、四角環形に曲げられた１本のバルブに第１口金２２を取付けて形成されている。
【００２６】
詳しくは、前記バルブは、第１の直管部２１ａないし第４の直管部２１ｄと、これら直管部２１ａ〜２１ｄと一体的であって、かつ、隣接した直管部にわたって例えば円弧状をなした第１の角部２１ｅないし第４の角部２１ｈとにより形成されている。第１の直管部２１ａと第３の直管部２１ｃは略平行であり、これらに隣接した第２の直管部２１ｂと第４の直管部２１ｄは略平行である。第１の角部２１ｅと第３の角部２１ｇは対角をなし、第２の角部２１ｆと第４の角部２１ｈは対角をなしている。第１口金２２は、前記バルブの互いに向かい合った端部（図示しない）を有した一つの直管部２１ａに取付けられている。この第１口金２２は前記向かい合った端部にわたってこれらの端部に被着されている。第２口金２２は、ソケット１７又は１８が着脱可能に差し込み接続される口金ピンを有している。
【００２７】
図５等に示すように外側蛍光ランプ３１は、内側蛍光ランプ２１より大きい四角環形に曲げられた１本のバルブに第２口金３２を取付けて形成されている。
【００２８】
詳しくは、前記バルブは、第１の直管部３１ａないし第４の直管部３１ｄと、これら直管部３１ａ〜３１ｄと一体的であって、かつ、隣接した直管部にわたって例えば円弧状をなした第１の角部３１ｅないし第４の角部３１ｈとにより形成されている。第１の直管部３１ａと第３の直管部３１ｃは略平行であり、これらに隣接した第２の直管部３１ｂと第４の直管部３１ｄは略平行である。第１の角部３１ｅと第３の角部３１ｇは対角をなし、第２の角部３１ｆと第４の角部３１ｈは対角をなしている。第２口金３２は、前記バルブの互いに向かい合った端部（図示しない）を有した一つの直管部３１ａに取付けられている。この第２口金３２は前記向かい合った端部にわたってこれらの端部に被着されている。第２口金３２は、ソケット１７又は１８が着脱可能に差し込み接続される口金ピンを有している。
【００２９】
これら大小一対の蛍光ランプ２１、３１は、いずれも略正四角形状をなす環形であるが、略長四角形状をなす環形であってもよい。蛍光ランプ２１、３１は器具本体１１を囲むように配置されている。そのため、外側蛍光ランプ３１が内側蛍光ランプ２１を囲むような配置の形態で蛍光ランプ２１、３１が略同心的に配置されされている。
【００３０】
この場合、第１口金２２と第２口金３２とが器具本体１１に対して同じ側ではなく互いに異なる側に位置されるように内外一対の蛍光ランプ２１、３１が配置されている。具体的には、器具本体１１の一辺、即ち、一方のリード線１５が横切る器具本体１１の一方の長辺に第１口金２２を対向させるように内側蛍光ランプ２１が配置されているとともに、前記一辺と平行な器具本体１１の他辺、即ち、他方のリード線１６が横切る器具本体１１の他方の長辺に第２口金３２を対向させるように外側蛍光ランプ３１が配置されている。言い換えれば、本実施例の場合には、第１口金２２と第２口金３２とが互いに略平行でかつ器具本体１１を境にその両側に位置されるように蛍光ランプ２１、３１が配置されている。
【００３１】
内外一対の蛍光ランプ２１，３１は、互いに略平行となるように第１のランプホルダ４１ないし第４のランプホルダ４４を用いて器具本体１１に支持されて、既述のように配置されている。
【００３２】
図６に示すように第１のランプホルダ４１は、フランジ部１２ａの前記一方の長辺にねじ止めされたホルダベース４５に、弾性変形ができるばね性を有した材料からなるホルダ本体４６を連結してなる。この第１のランプホルダ４１は、ホルダ本体４６によって、第１口金２２が取付けられた内側蛍光ランプ２１の第１の直管部２１ａと、これに並設された外側蛍光ランプ３１の第３の直管部３１ｃを支持している。そのために、ホルダ本体４６には、支持部４６ａと中間支持部４６ｂが形成されている。これら支持部４６ａ及び中間支持部４６ｂは、いずれも前記バルブをその中心線(管軸)と直交して略上下方向から挟むことができるように略Ｕ字状に折り曲げられているとともに、互いに連続して略Ｓ字形状をなしている。
【００３３】
支持部４６ａは、その内側に第３の直管部３１ｃの一部を納めて、この第３の直管部３１ｃを支持している。これにより、外側蛍光ランプ３１が器具本体１１に対して図５中矢印Ａ方向に動くことが妨げられている。同様に、中間支持部４６ｂは、その内側に第１の直管部２１ａの一部を納めて、この第１の直管部２１ａを支持している。これにより、内側蛍光ランプ２１が器具本体１１に対して図５中矢印Ｂ方向に動くことが妨げられている。
【００３４】
しかも、第１のランプホルダ４１は、器具本体１１の前記一方の長辺の長手方向中央部から長手方向にずれた位置にねじ止め等により固定されている。それによって、中間支持部４６ｂが内側蛍光ランプ２１の第１口金２２とこれに隣接した第１の角部２１ｅを避けてこれらの間で第１の直管部２１ａを支持している。
【００３５】
第２のランプホルダ４２は第１のランプホルダ４１と同じ構成である。したがって、第１のランプホルダ４１と同じ構成については同一符号を付して説明を省略する。この第２のランプホルダ４２は、フランジ部１２ａの他方の長辺にねじ止め等により固定されて、内側蛍光ランプ２１の第３の直管部２１ｃと、これに並設されるとともに第２口金３２が取付けられた外側蛍光ランプ３１の第１の直管部３１ａを支持している。
【００３６】
即ち、第２のランプホルダ４２のばね性を有するホルダ本体４６に形成された支持部４６ａは、その内側に第１の直管部３１ａの一部を納めて、この第１の直管部３１ａを支持している。これにより、外側蛍光ランプ３１が器具本体１１に対して図５中矢印Ｂ方向に動くことが妨げられている。これとともに、中間支持部４６ｂは、その内側に第３の直管部２１ｃの一部を納めて、この第３の直管部２１ｃを支持している。これにより、内側蛍光ランプ２１が器具本体１１に対して図５中矢印Ａ方向に動くことが妨げられている。
【００３７】
しかも、第２のランプホルダ４２は、器具本体１１の前記他方の長辺の長手方向中央部から長手方向にずれた位置に固定されている。それによって、支持部４６ａが外側蛍光ランプ３１の第２口金３２とこれに隣接した第１の角部３１ｅを避けてこれらの間で第１の直管部３１ａを支持している。この第２のランプホルダ４２と第１のランプホルダ４１とは、器具本体１１の中心に対して略点対称となるように略略１８０度隔たって器具本体１１の互いに平行な一対の長辺に固定されている。
【００３８】
第３のランプホルダ４３及び第４のランプホルダ４４は、前記ホルダ本体４６と同じ構成である。したがって、ホルダ本体４６と同じ構成については同一符号を付して説明を省略する。
【００３９】
ばね性を有した第３のランプホルダ４３は、器具本体１１の互いに平行な一対の短辺の内の一方の短辺にねじ止め等により固定されて、内側蛍光ランプ２１の第２の直管部２１ｂと、これに並設された外側蛍光ランプ３１の第４の直管部３１ｄを支持している。即ち、第３のランプホルダ４３に形成された支持部４６ａは、その内側に第４の直管部３１ｄの一部を納めて、この第４の直管部３１ｄを支持している。これにより、外側蛍光ランプ３１が器具本体１１に対して図５中矢印Ｃ方向に動くことが妨げられている。これとともに、中間支持部４６ｂは、その内側に第２の直管部２１ｂの一部を納めて、この第２の直管部２１ｂを支持している。これにより、内側蛍光ランプ２１が器具本体１１に対して図５中矢印Ｄ方向に動くことが妨げられている。
【００４０】
しかも、第３のランプホルダ４３は、フランジ部１２ａの一方の短辺の長手方向中央部から長手方向にずれた位置に固定されている。
【００４１】
同様に、ばね性を有した第４のランプホルダ４４は、器具本体１１の他方の短辺にねじ止め等により固定されて、内側蛍光ランプ２１の第４の直管部２１ｄと、これに並設された外側蛍光ランプ３１の第２の直管部３１ｂを支持している。即ち、第４のランプホルダ４４が有した支持部４６ａは、その内側に第２の直管部３１ｂの一部を納めて、この第２の直管部３１ｂを支持している。これにより、外側蛍光ランプ３１が器具本体１１に対して図５中矢印Ｄ方向に動くことが妨げられている。これとともに、中間支持部４６ｂは、その内側に第４の直管部２１ｄの一部を納めて、この第４の直管部２１ｄを支持している。これにより、内側蛍光ランプ２１が器具本体１１に対して図５中矢印Ｃ方向に動くことが妨げられている。
【００４２】
しかも、第４のランプホルダ４４は、器具本体１１の他方の短辺の長手方向中央部から長手方向にずれた位置に固定されている。この第４のランプホルダ４４と第３のランプホルダ４３とは、器具本体１１の中心に対して略点対称となるように略略１８０度隔たって器具本体１１の互いに平行な短辺に固定されている。
【００４３】
以上のように支持された内側蛍光ランプ２１の第１口金２２には、一方のソケット１７が接続され、この接続状態でリード線１５は自在に撓むことができるように余裕を持った引出し長さとなっている。同様に、外側蛍光ランプ３１の第２口金３２には、他方のソケット１８が接続され、この接続状態でリード線１６は自在に撓むことができるように余裕を持った引出し長さとなっている。
【００４４】
４個のランプホルダ４１〜４４の夫々で四角環形をなす内外一対の蛍光ランプ２１，３１の各直管部２１ａ〜２１ｄ，３１ａ〜３１ｄを以上のように支持したので、照明器具１に加わる外力に拘わらず、互いに平行な直管部が延びる方向に内外の蛍光ランプ２１，３１の内の少なくとも一方が移動することを、前記直管部に隣接して略９０度曲がった方向に延びている直管部を支持した二個のランプホルダ４１，４２又は４３，４４によって防止できる。したがって、４個のランプホルダ４１〜４４によって内外一対の蛍光ランプ２１，３１を夫々適正位置から不用意にずれ動かないように支持できる。
【００４５】
そのため、ランプ交換等において、内外一対の蛍光ランプ２１，３１の配置が視認される場合にも、これらの蛍光ランプ２１，３１の配置が適正に支持されているので、違和感を与えることがない。
【００４６】
更に、既述のように内外一対の蛍光ランプ２１，３１が個々に移動されることがないので、ソケット１７と第１口金２２との接続部、及びソケット１８と第２口金３２との接続部に負荷が掛かることがない。しかも、仮に、内外一対の蛍光ランプ２１，３１が適正位置からずれた場合でも、リード線１５，１６の自由変形によってソケットとこれに接続された口金との相対位置が保持されるので、ソケット１７と第１口金２２との接続部、及びソケット１８と第２口金３２との接続部に負荷が掛かる恐れがない。
【００４７】
加えて、ソケット１７がリード線１５に支持されているので、第１口金２２に対してソケット１７を着脱する際には、照明器具１１が吊り下げられているにも拘わらず、第１口金２２が取付けられた第１の直管部２１ａを片手で掴んで、他方の手でソケット１７を着脱することができる。同様にソケット１８がリード線１６に支持されているので、第２口金３２に対してソケット１８を着脱する際には、照明器具１１が吊り下げられているにも拘わらず、第２口金３２が取付けられた第１の直管部３１ａを片手で掴んで、他方の手でソケット１８を着脱できる。その上、第１のランプホルダ４１は、第１口金２２に掛からずに、この第１口金２２からずれて配置されているので、ソケット１７を掴む際に第１のランプホルダ４１が邪魔になることが抑制される。同様に、第２のランプホルダ４２も、第２口金３２に掛からずに、この第２口金３２からずれて配置されているので、ソケット１８を掴む際に第２のランプホルダ４２が邪魔になることが抑制される。したがって、ランプ交換をする際に、ソケット１７と第１口金２２との着脱、及びソケット１８と第２口金３２との着脱を、夫々容易にできる。
【００４８】
又、第１のランプホルダ４１〜第４のランプホルダ４４は、いずれも内外一対の蛍光ランプ２１，３１の角部２１ｅ〜２１ｈ，３１ｅ〜３１ｈ、及び口金２２，３２からずれた位置で直管部２１ａ〜２１ｄ，３１ａ〜３１ｄを支持している。これにより、第１のランプホルダ４１〜第４のランプホルダ４４に大小一対の蛍光ランプ２１，３１を支持させる際に弾性変形する第１のランプホルダ４１〜第４のランプホルダ４４が元の状態に戻ることに伴う衝撃力が、蛍光ランプ２１，３１の円弧状をなす角部２１ｅ〜２１ｈ，３１ｅ〜３１ｈに与えられることがない。したがって、蛍光ランプ２１，３１の角部２１ｅ〜２１ｈ，３１ｅ〜３１ｈが割れる恐れをなくすことができる。
【００４９】
しかも、四角環形をなす蛍光ランプ２１，３１の角部２１ｅ〜２１ｈ，３１ｅ〜３１ｈに第１のランプホルダ４１〜第４のランプホルダ４４が掛からないので、前記角部２１ｅ〜２１ｈ，３１ｅ〜３１ｈから部屋の四隅方向へ指向する光の放出が妨げられることがない。以上のように内外一対の四角環形蛍光ランプ２１，３１に対する第１のランプホルダ４１〜第４のランプホルダ４４の配置は合理的である。
【００５０】
又、セード５１は、平面視四角形であって、図２に示したように上下一対のセード部材５２，５３と、セード枠５４を備えている。セード部材５２，５３は乳白色のアクリル樹脂等の透光性合成樹脂製であって、互いの周部を嵌合し、かつ、ねじ止めにより分解可能に組立てられている。四角形のセード枠５４は、セード部材５２，５３の周部を被ってこの周部に取外し可能にねじ止めされている。このセード枠５４を外すことによって互いに連結されているセード部材５２，５３の分解が可能となり、この分解で下側のセード部材５３を外すことにより、ランプ交換ができるようになっている。
【００５１】
上側のセード部材５２の中央部には取付け孔が開けられている。この取付け孔に前記本体外郭１２の上側の外郭部材がそのフランジを除いて通されている。それにより、取付け孔の縁部５２ａが本体外郭１２のフランジ部１２ａに上方から引っ掛かって、セード５１がその内部に蛍光ランプ２１，３１を収めて器具本体１１に支持されている。
【００５２】
蛍光ランプ２１，３１の少なくとも一方が点灯された状態で、点灯された蛍光ランプから放射されて上側のセード部材５２を通った光は、天井２を照明する。これとともに、点灯された蛍光ランプから放射されて下側のセード部材５３を通った光は、照明器具１の下方空間を照明する。
【００５３】
なお、本発明は前記一実施形態には制約されない。例えば、前記一実施形態の構成において、第３のランプホルダ及び第４のランプホルダは、それが取付けられる器具本体の互いに平行な二辺の長手方向中央部に固定してもよい。
【００５４】
又、四角環形の蛍光ランプとして前記一実施形態では、一本のバルブを曲げて蛍光ランプを形成することで直管部と角部を一体的とした蛍光ランプを用いたが、これに代えて直管部と角部とを別々に製造しておいて、これらを溶着により接合して一体的とした蛍光ランプを用いることもできる。
【００５５】
更に、前記一実施形態では、大きさが異なり略同心的に配置される複数の四角環形蛍光ランプとして、内外一対の蛍光ランプを用いたが、これに代えて３個以上蛍光ランプを用いることも可能である。その場合、最も内側位置の蛍光ランプの直管部を各ランプホルダの中間支持部で支持するとともに、前記最も内側位置の蛍光ランプ以外の他の複数の蛍光ランプの直管部を各ランプホルダの支持部で支持して実施すればよい。
【図面の簡単な説明】
【００５６】
【図１】本発明の一実施形態に係る照明器具を示す斜視図。
【図２】図１の照明器具を示す断面図。
【図３】図１の照明器具のセードを外した状態で斜め上方向から見て示す照明器具の斜視図。
【図４】図３中矢印Ｆ４方向から見て示す照明器具の斜視図。
【図５】図１の照明器具のセードを外した状態で斜め下方向から見て示す照明器具の斜視図。
【図６】図５中Ｆ６部まわりを斜め下方向から見て示す斜視図。
【符号の説明】
【００５７】
１…照明器具、３…灯具、１１…器具本体、１３…点灯装置、１５，１６…リード線、１７，１８…ソケット、２１…内側蛍光ランプ、２２…第１口金、２１ａ…第１の直管部、２１ｂ…第２の直管部、２１ｃ…第３の直管部、２１ｄ…第４の直管部、２１ｅ…第１の角部、２１ｆ…第２の角部、２１ｇ…第３の角部、２１ｈ…第４の角部、３１…外側蛍光ランプ、３２…第２口金、３１ａ…第１の直管部、３１ｂ…第２の直管部、３１ｃ…第３の直管部、３１ｄ…第４の直管部、３１ｅ…第１の角部、３１ｆ…第２の角部、３１ｇ…第３の角部、３１ｈ…第４の角部、４１…第１のランプホルダ、４２…第２のランプホルダ、４３…第３のランプホルダ、４４…第４のランプホルダ、４６ａ…支持部、４６ｂ…中間支持部
【図１】
2008098117.tif 000003
【図２】
2008098117.tif 000004
【図３】
2008098117.tif 000005
【図４】
2008098117.tif 000006
【図５】
2008098117.tif 000007
【図６】
2008098117.tif 000008